(57)【要約】【課題】主板を含めた羽根車全体の洗浄を可能とし、洗浄時間の短縮および洗浄後の羽根車の美観を維持することを目的とする。【解決手段】洗浄ケーシング５０に洗浄液５１を貯水して羽根車１０を洗浄するレンジフードに対して、前記羽根車１０はかご型円筒形状であり、前記羽根車１０の円筒内に側板１６側から主板１７側に向かって延伸した中空棒状の散水ノズル５４が設置され、前記羽根車１０の回転方向とは逆向きに洗浄液の流水が着水できるように散水ノズル５４に散水孔を設置することで、洗浄水の勢いと羽根車の遠心力を利用して羽根車１０上の汚れを剥がし落とす。【選択図】図１
2017125623.tif 000002
【特許請求の範囲】
【請求項１】
電動機により回転する羽根車と、前記羽根車と一体に設けた油捕集機構部と前記油捕集機構部を洗浄液に浸漬させるための洗浄ケーシングと、前記洗浄ケーシングに、前記洗浄液を貯排する開閉弁とを設け、前記開閉弁を閉じて洗浄液を貯め、前記羽根車へ洗浄液を噴射して前記羽根車と油捕集機構部を洗浄するレンジフードにおいて、
前記羽根車は、少なくとも複数のブレードと環状の側板と円形の主板を備えたかご型円筒形状であり、前記羽根車の円筒内に、羽根車に向かって側板側から主板側に向かって延伸した中空棒状の散水ノズルが設置されており、
前記羽根車の回転方向とは逆向きに洗浄液が着水できるように、前記散水ノズルには少なくともブレードと油捕集機構部と主板に向けて散水可能な散水孔を備えたレンジフード。
【請求項２】
前記散水ノズルは、羽根車の回転軸よりも上方で前記羽根車の円筒内に延伸し、最下端部に、主板に向けて散水可能な散水孔を備えた請求項１記載のレンジフード。
【請求項３】
前記散水ノズルの噴射口上流に洗浄液の温度を上昇させるヒーターを備えた請求項１または２いずれか一つに記載のレンジフード。
【発明の詳細な説明】
【技術分野】
【０００１】
本発明は、レンジフードに取り付ける油捕集機構部の汚れ除去に関するものである。
【背景技術】
【０００２】
従来、この種のレンジフードは、図８に示すように、調理器具（図示せず）の上方に、調理器具から発生する油煙や周囲に浮遊する埃等を捕集する吸込口１０１を設けたフード１０２を壁面１０３に設置し、フード１０２には、天面には屋外とダクト１０４を介して連通する排出口１０５を設け、内部には回転軸１０６を略水平にして配置した電動機１０７と、回転軸１０６に取り付けた羽根車１０８と、羽根車１０８を包括した洗浄ケーシング１０９を配設し、この羽根車１０８を介し吸込口１０１と排出口１０５を結ぶ通風路１１０を形成している。また、フード１０２の吸込口１０１近傍には箱状の整流板１１１が配設されている。
【０００３】
洗浄ケーシング１０９の下方には、洗浄液１１２を貯水する貯水装置１１３と給水ポンプ１１４を設け、洗浄ケーシング１０９には、給水ポンプ１１４から接続された散水ノズル１１５を設けている。洗浄ケーシング１０９の下端部には孔１１６を設けて、孔１１６には洗浄ケーシング１０９内に洗浄液１１２を貯排する開閉弁１１７を設け、開閉弁１１７の下方に排水トレイ１１８を構成している。
【０００４】
図９に示すように、遠心ファンの羽根車１０８は、主板１１９に立設した複数のブレード１２０を備え、羽根車１０８内部には、リング状の油捕集機構部１２１を、ブレード１２０から１５〔ｍｍ〕程度の距離を離して、回転軸１０６方向に間隔を空けて複数枚取り付けている。
【０００５】
以下、そのレンジフードについて図１０を参照しながら説明する。
【０００６】
洗浄時には、羽根車１０８の回転軸１０６より下方の部分が、洗浄ケーシング１０９内で貯水装置１１３から供給された洗浄液１１２に浸漬される。羽根車１０８および油捕集機構部１２１には、レンジフードの使用に伴い汚れが付着している。羽根車１０８を回転軸１０６で回転させることで、汚れが付着した部分を洗浄液１１２に浸漬させて洗浄することができる（例えば、特許文献１を参照）。
【先行技術文献】
【特許文献】
【０００７】
【特許文献１】特開２０１４−０６２７１０号公報
【発明の概要】
【発明が解決しようとする課題】
【０００８】
このような従来のレンジフードにおいては、羽根車の主板部分までを洗浄することは困難であった。また、油煙捕集に関わる羽根車の油捕集機構部およびブレードにおける洗浄力をより強化し、洗浄時間を短時間にし、かつ節水を実現する洗浄機構が求められていた。
【０００９】
本発明は、上記従来の課題を解決するものであり、羽根車の主板部分も洗浄でき、羽根車のブレードおよび油捕集機構部のさらなる洗浄効果の向上ができるレンジフードを提供することを目的としている。
【課題を解決するための手段】
【００１０】
本発明は、上記目的を達成するために、電動機により回転する羽根車と、前記羽根車に一体に設けた油捕集機構部と前記油捕集機構部を洗浄液に浸漬させるための洗浄ケーシングと、前記洗浄ケーシングに、前記洗浄液を貯排する開閉弁とを設け、前記開閉弁を閉じて洗浄液を貯め、前記羽根車へ洗浄液を噴射して前記羽根車と油捕集機構部を洗浄するレンジフードにおいて、前記羽根車は、少なくとも複数のブレードと環状の側板と円形の主板を備えたかご型円筒形状であり、前記羽根車の円筒内に、この羽根車に向かって側板側から主板側に向かって延伸した中空棒状の散水ノズルが設置されており、前記羽根車の回転方向とは逆向きに洗浄液が着水できるように、前記散水ノズルには少なくともブレードと油捕集機構部と主板に向けて散水可能な散水孔を備えているようにしたものであり、これにより所期の目的を達成するものである。
【発明の効果】
【００１１】
本発明によれば、電動機により回転する羽根車と、前記羽根車に一体に設けた油捕集機構部と前記油捕集機構部を洗浄液に浸漬させるための洗浄ケーシングと、前記洗浄ケーシングに、前記洗浄液を貯排する開閉弁とを設け、前記開閉弁を閉じて洗浄液を貯め、前記羽根車へ洗浄液を噴射して前記羽根車と油捕集機構部を洗浄するレンジフードにおいて、前記羽根車は、少なくとも複数のブレードと環状の側板と円形の主板を備えたかご型円筒形状であり、前記羽根車の円筒内に、この羽根車に向かって側板側から主板側に向かって延伸した中空棒状の散水ノズルが設置されており、前記羽根車の回転方向とは逆向きに洗浄液が着水できるように、前記散水ノズルには少なくともブレードと油捕集機構部と主板に向けて散水可能な散水孔を備えていることで、羽根車の主板部分も容易に洗浄でき、羽根車のブレードおよび油捕集機構部のさらなる洗浄効果の向上ができる。
【図面の簡単な説明】
【００１２】
【図１】本発明の実施の形態１のレンジフードを示す側面断面構成図
【図２】同レンジフードを示す正面断面構成図
【図３】同レンジフードの羽根車の構成斜視図
【図４】同レンジフードのケーシング構成図
【図５】同レンジフードの散水ノズルを示す斜視図
【図６】同レンジフードの特徴を示す回転軸の垂直方向から見た断面図
【図７】同レンジフードに配置する散水ノズルの位置と噴射角度を示す断面図（Ａ−Ａ’から見た図）
【図８】従来のレンジフードを示す側面断面構成図
【図９】同レンジフードの羽根車と油捕集機構部の構成を示す図
【図１０】同レンジフードを示す正面断面構成図
【発明を実施するための形態】
【００１３】
本発明の請求項１記載のレンジフードは、電動機により回転する羽根車と、前記羽根車に一体に設けた油捕集機構部と前記油捕集機構部を洗浄液に浸漬させるための洗浄ケーシングと、前記洗浄ケーシングに、前記洗浄液を貯排する開閉弁とを設け、前記開閉弁を閉じて洗浄液を貯め、前記羽根車へ洗浄液を噴射して前記羽根車と油捕集機構部を洗浄するレンジフードにおいて、前記羽根車は、少なくとも複数のブレードと環状の側板と円形の主板を備えたかご型円筒形状であり、前記羽根車の円筒内に、この羽根車に向かって側板側から主板側に向かって延伸した中空棒状の散水ノズルが設置されており、前記羽根車の回転方向とは逆向きに洗浄液が着水できるように、前記散水ノズルには少なくともブレードと油捕集機構部と主板に向けて散水可能な散水孔を備えているものである。
【００１４】
これにより、汚れが付着した前記羽根車を洗浄する際、前記羽根車を回転させながら前記散水ノズルから洗浄液を噴射すると、噴射された前記洗浄液は、羽根車を構成するブレードおよび油捕集機構部および主板の回転軸近傍に着水する。着水した際、前記散水ノズルからの前記洗浄液の噴射圧力で汚れが剥ぎ落とされる。前記洗浄液の噴射向きは前記羽根車の回転方向とは逆向きであるので、前記羽根車上の汚れへの洗浄液の衝突エネルギーは高くなり、汚れを落としやすくする効果がある。ブレードおよび油捕集機構部に向けて噴射された洗浄水は、前記羽根車に一体に設けた油捕集機構部およびブレードに付着した汚れを剥がし落としながら、洗浄ケーシングへと落下する。一方、主板に向けて噴射された洗浄水は、前記羽根車の回転による遠心力で、主板の外周側へと前記主板上の汚れを剥がし落としながら移動し、前記主板の外周から前記洗浄ケーシングへと落下する。前記主板は回転しているので、前記散水ノズルや噴射向きが固定されていても、前記主板内側全周に水を着水することができる。最終的に、全ての洗浄液は前記洗浄ケーシングに貯水される。
【００１５】
前記洗浄ケーシングに前記洗浄液が貯水された状態で、前記羽根車を回転させることで、主板に加えて、羽根車のブレードと油捕集機構部が前記洗浄液に浸漬および接触され、油汚れを洗浄することができる。
【００１６】
したがって、汚れが蓄積した前記羽根車に対して、貯水した前記洗浄ケーシング内で前記羽根車を回転させるだけでは前記洗浄液が濡れ広がらず洗浄が困難であった前記主板を含んだ前記羽根車全体の洗浄が可能となり、目詰まりの発生を防ぐだけでなく美観もきれいな状態を保つことができる効果を奏する。また、羽根車の回転による洗浄作用に加えて、散水ノズルからの噴射された水流による汚れの引き剥がし作用が働くため、油捕集機構部およびブレードに付着した汚れのさらなる洗浄効果を発揮することができる。
【００１７】
また、前記散水ノズルは、レンジフードに吸込まれる気流に含まれている油滴が直接衝突しにくいブレード側および主板側に向かってのみ、散水孔を備えているため、散水ノズルの散水孔がよごれにくいという効果を奏する。
【００１８】
また、請求項２に記載のレンジフードは、前記散水ノズルは、羽根車の回転軸よりも上方で前記羽根車の円筒内に延伸し、最下端部に、主板に向けて散水可能な散水孔を備えたことを特徴とするものである。
【００１９】
これにより、給水ポンプを停止した際には、散水ノズルの最下端部から残水が排水されることになる。この結果、中空棒状の散水ノズルに残水が残ることがなく、スケールの析出による散水孔の閉塞を防止することができるという効果を奏する。
【００２０】
また、請求項３に記載のレンジフードは、前記散水ノズルの噴射口上流に洗浄液の温度を上昇させるヒーターを備えたものである。
【００２１】
これにより、噴射する洗浄液を高温水または加熱スチーム等にして噴射することができる。したがって、付着した油の温度を上昇させて軟化を促し、洗浄効果を高めることができるという効果を奏する。また、レンジフード内部の温度を上昇させて、カビや細菌の発生を防止することができるという効果を奏する。
【００２２】
以下、本発明の実施の形態について図面を参照しながら説明する。
【００２３】
（実施の形態１）
図１、図２に示すように、本実施の形態１では、レンジフード１は、本体２を壁面３に設置し、排出口４にダクト５を接続して屋外と連通している。
【００２４】
本体２は、調理器具（図示せず）の上方で調理器具から発生する油煙や周囲に浮遊する埃等を捕集できるようにフード部６を備えた箱体であって、フード部６の下面７に吸込口８、天面９に前記排出口４を備えている。
【００２５】
本体２の内部には、かご型円筒形の羽根車１０を備えた送風機１１と羽根車１０を洗浄する洗浄装置１２を備えている。
【００２６】
送風機１１は、前記羽根車１０に加えて、この羽根車１０を回転させるモータ１３と羽根車１０を包囲するケーシング１４を備えたシロッコファンである。
【００２７】
図３に示すように、羽根車１０は、少なくとも、複数のブレード１５と環状の側板１６と円形の主板１７で構成されている。ブレード１５は、送風機１１の送風機流入口１８側に位置する前記側板１６とモータ１３側に位置する主板１７によって両端部を挟み込むようにして配置している。すなわち羽根車１０は、複数のブレード１５と環状の側板１６と円形の主板１７を備えたかご型円筒形状である。
【００２８】
また、主板１７は外周に対して中心軸を軸方向で側板１６側に隆起した円錐面２９を備えている。言い換えると羽根車１０は、円の外周方向から中心軸である回転軸２１に向うにしたがって、隆起するように傾斜した円錐面２９を持つものでもある。なお、円形の主板１７は平面でもよく、一部に凹凸を備えていても良い。さらに、羽根車１０内周部には、リング状の油捕集機構部３０を、互いに一定距離を離して、複数枚取り付けている。
【００２９】
図４に示すケーシング１４には、前記送風機流入口１８と送風機吹出口３１が備えられている。
【００３０】
ケーシング１４は、スクロール板３２と、このスクロール板３２を挟むように配置したケーシング前面板３３とケーシング背面板３４と、舌部３５と、スクロール板３２の延長上に備えた延設板３６と、舌部３５の延長上に備えた延長板３７とを備えている。なお、ケーシング１４において、延設板３６と、延長板３７は必須ではない。
【００３１】
ケーシング前面板３３とケーシング背面板３４は、羽根車１０の高さ方向に対応して間隔を開けて配置した平面板である。
【００３２】
スクロール板３２は、羽根車１０の外周で、舌部３５を基点として羽根車１０の回転方向に向って風路を拡大する曲面板である。延設板３６はスクロール板３２をさらに送風機吹出口３１へ延設した平面板である。また、延長板３７は、舌部３５の反回転方向側から送風機吹出口３１へ延設した平面板である。
【００３３】
また、スクロール板３２は、ケーシング１４の側面部３８の主要部に渡り配置されている。ケーシング１４の側面部３８において、舌部３５から羽根車１０の回転方向に約３００度の範囲を占めている。
【００３４】
送風機吹出口３１は、ケーシング１４の側面部３８において、ケーシング前面板３３とケーシング背面板３４と延設板３６、延長板３７のそれぞれ端部に囲まれて形成している。また、延設板３６、延長板３７を備えない場合には、ケーシング前面板３３とケーシング背面板３４、スクロール板３２、舌部３５のそれぞれ端部に囲まれて形成すればよい。
【００３５】
また、ケーシング１４は、ケーシング前面板３３の略中央部にオリフィス３９を備えている。オリフィス３９の左上部には、オリフィス３９から羽根車１０のかご状円筒内に、羽根車１０の側板１６側から主板１７側に向かって延伸した中空棒状の散水ノズル５４が設置されている。羽根車１０の回転方向上流面に向けて洗浄液の流水が着水できるように、散水ノズル５４には少なくともブレード１５と油捕集機構部３０と主板１７に向けて散水可能な散水孔を備えている。
【００３６】
送風機流入口１８は、オリフィス３９の内周部にある。また、図１において、ケーシング背面板３４側にはモータ１３を配置している。そして、モータ１３からシャフト４０を通じ、羽根車１０を回転させている。
【００３７】
ケーシング１４は、本体２内部で、ケーシング前面板３３とケーシング背面板３４を立てるように配置している。すなわち、羽根車１０は、回転軸２１を横にして配置し、送風機吹出口３１を上方へ向けて配置している。
【００３８】
そして、送風機吹出口３１は、本体２の排出口４へ接続されている。送風機流入口１８は、本体２内部に開口し、吸込口８に連通している。
【００３９】
モータ１３の内部には、回転数センサー（図示せず）と電流センサー（図示せず）がついており、電動機の回転数と電流値を検知する。回転数センサーとしては、ホールＩＣが好ましく、コストが安く精度がいいからである。
【００４０】
洗浄装置１２は、図１に示すように、送風機１１のケーシング１４でもある洗浄ケーシング５０と、洗浄液５１を貯水する貯水装置５２と、給水ポンプ５３と、散水ノズル５４と排水トレイ５５を備えている。
【００４１】
洗浄ケーシング５０は、ブレード１５と油捕集機構部３０の洗浄の際に洗浄液５１を貯めることができる機体であって、下端部に孔５６を設けて、孔５６には洗浄ケーシング５０内に洗浄液５１を貯排する開閉弁５７を設け、開閉弁５７の下方に排水トレイ５５を配置している。洗浄ケーシング５０として洗浄液５１の貯液量は、ブレード１５と油捕集機構部３０の一部が浸る程度あれば良い。
【００４２】
貯水装置５２は、洗浄ケーシング５０の下方に設けている。
【００４３】
給水ポンプ５３は、貯水装置５２に貯水した洗浄液５１を散水ノズル５４へ送水するものであって、本体２内部に設けている。
【００４４】
散水ノズル５４は、羽根車１０の円筒内に、羽根車１０の回転軸２１よりも上方で、羽根車１０に向かって側板１６側から主板１７側に向かって延伸した中空棒状の散水ノズル５４が設置されている。
図５に示す散水ノズル５４には、羽根車１０の回転方向とは逆向きに洗浄液の流水が着水できるように、羽根車１０を構成するブレード１５と油捕集機構部３０と主板１７に向けて散水可能な散水孔５８を備えている。散水ノズルの最下端５９には、主板１７に向けて散水可能な散水孔５８を備えている。
【００４５】
図６は回転軸２１の垂直平面（回転軸２１を輪切りにする面）から、ケーシング前面板３３を透視した図である。散水ノズル５４から噴射された洗浄液５１は、羽根車１０の回転方向とは逆向きに着水できるようになっている。図中の矢印は、散水ノズル５４から散水される洗浄水の向きを示している。
【００４６】
図７は、図６のＡ‐Ａ’断面にて回転軸２１と同平面から見た際の散水ノズル５４の位置を示す。散水ノズル５４から噴射された洗浄液５１は、矢印の軌跡を描いて、主板１７に着水するものである。
【００４７】
上記構成において、調理で油煙が発生しているときにモータ１３（好ましくはＤＣモータ）を作動させると、羽根車１０が回転し、油煙や埃を含んだ空気が吸込口８から吸い込まれ、本体２内で羽根車１０内を通過する際、油や埃がリング状の油捕集機構部３０に衝突してくっついて捕集され、それらが除去された空気が洗浄ケーシング５０内を通った後、排出口４を介してダクト５を通って屋外に排出される。
【００４８】
これを繰り返すと、油捕集機構部３０、羽根車１０のブレード１５および油捕集機構部３０および主板１７に油や埃が蓄積されていき、目詰まりを発生させ、排出風量の低下を招いたり、美観が損なわれたりすることとなる。そこで、排出風量の低下を防ぐために、油捕集機構部３０、羽根車１０のブレード１５の洗浄を行うこととなる。
【００４９】
まず、モータ１３を停止させ、開閉弁５７を閉じ、給水ポンプ５３により貯水装置５２に貯めた洗浄液５１を汲み上げ散水ノズル５４に供給する。貯水装置５２内の洗浄液５１は事前に給水しておく。
【００５０】
その後、モータ１３を回転させながら散水ノズル５４より洗浄液５１を噴射すると、噴射された洗浄液５１は、羽根車１０を構成するブレード１５および油捕集機構部３０および主板１７の回転軸２１近傍に着水する。着水した際、前記散水ノズル５４からの前記洗浄液５１の噴射圧力で汚れが剥ぎ落とされる。前記洗浄液５１の噴射向きは前記羽根車１０の回転方向とは逆向きであるので、前記羽根車１０上の汚れへの洗浄液の衝突エネルギーは高くなり、汚れを落としやすくする効果がある。
【００５１】
ブレード１５および油捕集機構部３０に向けて噴射された洗浄水は、前記羽根車１０に一体に設けた油捕集機構部３０およびブレード１５に付着した汚れを剥がし落としながら、洗浄ケーシング５０へと落下する。
【００５２】
一方、散水ノズル５４から主板１７に向けて噴射された洗浄水は、主板１７の回転軸２１近傍に着水する。着水した際、散水ノズル５４からの洗浄液５１の噴射圧力で汚れを剥ぎ落とす。この際、散水ノズル５４からの洗浄液５１の噴射向きは羽根車１０の回転方向とは逆向きであるので、羽根車１０上の汚れへの洗浄液５１の衝突エネルギーは高くなり、汚れを落としやすくする効果がある。主板１７は回転しているので、散水ノズル５４や噴射向きが固定されていても、主板１７内側全周に着水させることができる。さらに着水した洗浄液５１は、主板１７の傾斜と羽根車１０の回転による遠心力で外周側へと主板１７上の汚れを剥がし落としながら移動し、主板１７の外周から洗浄ケーシング５０へと落下する。これにより洗浄液５１は洗浄ケーシング５０に貯水される。加えて洗浄ケーシング５０に洗浄液５１が貯水された状態で、モータ１３を回転させることで、油捕集機構部３０の全周と羽根車１０のブレード１５が洗浄液５１に浸漬され、洗浄される。排水および乾燥は、開閉弁５７を開けて排水トレイ５５に洗浄液５１を移動させ、送風することで乾燥させる。
【００５３】
以上、一連の洗浄工程により汚れが蓄積した油捕集機構部３０および羽根車１０のブレード１５に加え、羽根車１０の回転だけでは洗浄液５１が濡れ広がらず洗浄が困難な主板１７を含んだ羽根車１０全体の洗浄が可能となり、目詰まりの発生を防ぐだけでなく美観もきれいな状態を保つことができる。また、散水ノズル５４からの洗浄液５１の噴射圧力により、捕集機構部およびブレードにおける洗浄力をより強化し、洗浄時間を短時間にし、かつ節水を実現することができる。
また、散水ノズルの最下端５９に、主板１７に向けて散水可能な散水孔５８を設けているため、停止時の噴射口への洗浄液５１の残水が少なく、スケールによるノズル詰まりを抑制することができる。
【００５４】
なお、散水ノズル５４にヒーター等を搭載して洗浄液５１の温度を上昇させてより高温の洗浄液５１にしたり、加熱スチーム等にしたりして噴射してもよい。また散水ノズル５４は複数配置させても良く、噴射形状は丸形のみだけでなくホロコーンやスリットなどでも良い。
【００５５】
また、散水ノズル５４は可動式で、散水の方向を可変できるようにしてもよく、この場合、より広範囲に洗浄液５１を噴射することができる。貯水装置５２への洗浄液５１の給水は高温であっても良く、界面活性剤やアルカリ塩などの添加剤を加えたものでも良い。
【００５６】
また、貯水装置５２への給水は水道から自給式でも良く、添加剤も自動投入されるものでも良い。また、孔５６は洗浄ケーシング５０の下端部に加えて洗浄ケーシング５０内に複数設けても良い。
【００５７】
また、本実施の形態では、ケーシング１４を備えた送風機について説明したが、洗浄ケーシング５０としては、スクロール板３２と、ケーシング前面板３３とケーシング背面板３４と、舌部３５と、延設板３６と、延長板３７とを必ずしもすべて備わっていなくても良い。洗浄時に洗浄液５１を貯めることができるようにケーシング前面板３３とケーシング背面板３４とこれに挟まれたスクロール板３２と、散水ノズル５４を設置する延設板３６とで機体を形成すれば洗浄液５１を噴射することができ、噴射した洗浄液５１を貯めることができる。この場合、スクロール板３２は、風路を徐々に拡大するものでなくても良い。羽根車１０の回転軸２１より下方を包囲するものであれば洗浄液５１にブレード１５および油捕集機構部３０の一部を浸すことができるからである。特にプレートファンやターボファンにおいて風路を徐々に拡大するスクロール板の必要のない場合に適用できるものである。
【産業上の利用可能性】
【００５８】
本発明にかかるレンジフードは主板を含めた羽根車全体の洗浄を可能とし洗浄後の羽根車の美観を維持するものであり、さらに、油煙捕集に関わる羽根車の油捕集機構部およびブレードにおける洗浄力をより強化し、洗浄時間を短時間にし、かつ節水を実現するものであるため、同様の機能が付いた換気装置にも適用することができる。
【符号の説明】
【００５９】
１    レンジフード
２    本体
３    壁面
４    排出口
５    ダクト
６    フード部
７    下面
８    吸込口
９    天面
１０    羽根車
１１    送風機
１２    洗浄装置
１３    モータ
１４    ケーシング
１５    ブレード
１６    側板
１７    主板
１８    送風機流入口
２１    回転軸
３０    油捕集機構部
３１    送風機吹出口
３２    スクロール板
３３    ケーシング前面板
３４    ケーシング背面板
３５    舌部
３６    延設板
３７    延長板
３８    側面部
３９    オリフィス
４０    シャフト
５０    洗浄ケーシング
５１    洗浄液
５２    貯水装置
５３    給水ポンプ
５４    散水ノズル
５５    排水トレイ
５６    孔
５７    開閉弁
５８    散水孔
５９    散水ノズルの最下端
１０１    吸込口
１０２    フード
１０３    壁面
１０４    ダクト
１０５    排出口
１０６    回転軸
１０７    電動機
１０８    羽根車
１０９    洗浄ケーシング
１１０    通風路
１１１    整流板
１１２    洗浄液
１１３    貯水装置
１１４    給水ポンプ
１１５    散水ノズル
１１６    孔
１１７    開閉弁
１１８    排水トレイ
１１９    主板
１２０    ブレード
１２１    油捕集機構部
【図１】
2017125623.tif 000003
【図２】
2017125623.tif 000004
【図３】
2017125623.tif 000005
【図４】
2017125623.tif 000006
【図５】
2017125623.tif 000007
【図６】
2017125623.tif 000008
【図７】
2017125623.tif 000009
【図８】
2017125623.tif 000010
【図９】
2017125623.tif 000011
【図１０】
2017125623.tif 000012